(57)【要約】【課題】画像データを、出力に関わらないフレームレートで処理した後、出力に適したフレームレートに変換して出力する。【解決手段】ビデオ出力がＰＡＬである場合の画像データの記録処理において、表示信号処理部６３は、バス１６を介して、メモリ１９に記録されている、フレームレート３０Hzの画像データの供給を受けて、フレームレートの比に対応した間引きによるフレームレート変換方法により、フレームレートをＮＴＳＣの２９．９７Ｈzに変換して、表示部２１、およびコーディックＩＣインターフェース６４に出力し、かつ、フレームレートをＰＡＬの２５Ｈzに変換して、ビデオ出力インターフェース２２に出力する。本発明は、デジタルカメラに適応することができる。【選択図】図１２
2008035552.tif 000002
【特許請求の範囲】
【請求項１】
被写体像を撮像する撮像手段と、
前記撮像手段により撮像されて得られた画像データから第１のフレームレートを有する画像データを生成する生成手段と、
前記生成手段により生成された前記第１のフレームレートを有する画像データを、前記第１のフレームレートよりも低い第２のフレームレートを有する第１のビデオフォーマット、または、前記第１のフレームレートよりも低い第３のフレームレートを有する第２のビデオフォーマットに対応する画像データに変換するとともに、前記第２のビデオフォーマットに対応する画像データを、前記第１のフレームレートを有する画像データに変換する変換手段と、
前記変換手段により変換された前記第１のビデオフォーマットに対応する画像データを出力する第１の出力手段と、
前記変換手段により変換された前記第２のビデオフォーマットに対応する画像データを、前記第２のビデオフォーマットに対応する画像データを圧縮伸張する圧縮伸張部に出力する第２の出力手段と、
前記圧縮伸張部により伸張された前記第２のビデオフォーマットに対応する画像データの取得、前記変換手段による前記第２のビデオフォーマットに対応する画像データの前記第１のフレームレートを有する画像データへの変換、および、変換後の前記第１のフレームレートを有する画像データの前記第１のビデオフォーマットに対応する画像データへの変換、並びに、変換後の前記第１のビデオフォーマットに対応する画像データの前記第１の出力手段による出力を制御する制御手段と
を備える撮像装置。
【請求項２】
被写体像を撮像する撮像装置の撮像方法において、
被写体像を撮像し、
撮像されて得られた画像データから第１のフレームレートを有する画像データを生成し、
前記第１のフレームレートを有する画像データを、前記第１のフレームレートよりも低い第２のフレームレートを有する第１のビデオフォーマット、または、前記第１のフレームレートよりも低い第３のフレームレートを有する第２のビデオフォーマットに対応する画像データに変換するとともに、前記第２のビデオフォーマットに対応する画像データを、前記第１のフレームレートを有する画像データに変換し、
変換された前記第１のビデオフォーマットに対応する画像データを出力し、
変換された前記第２のビデオフォーマットに対応する画像データを、前記第２のビデオフォーマットに対応する画像データを圧縮伸張する圧縮伸張部に出力し、
前記圧縮伸張部により伸張された前記第２のビデオフォーマットに対応する画像データを取得し、取得された前記第２のビデオフォーマットに対応する画像データを前記第１のフレームレートを有する画像データへ変換し、変換後の前記第１のフレームレートを有する画像データを前記第１のビデオフォーマットに対応する画像データへ変換し、変換後の前記第１のビデオフォーマットに対応する画像データを出力する処理を制御する
ステップを含む撮像方法。
【発明の詳細な説明】
【技術分野】
【０００１】
本発明は、撮像装置および撮像方法に関し、特に、所定のフォーマットで画像出力を行う場合に用いて好適な、撮像装置および撮像方法に関する。
【背景技術】
【０００２】
デジタルカメラ（デジタルスチルカメラ、デジタルビデオカメラ、並びに、静止画および動画を撮像可能なデジタルカメラ）においては、撮像する画像を確認するために、光学ファインダに代わって、液晶ファインダが用いられる。また、デジタルカメラは、例えば、テレビジョン受像機などのモニタを用いて、撮像した画像を表示させるために、内部に記録している画像データを外部の表示機器に出力するためのビデオ出力端子を備えている。
【０００３】
ビデオ出力のフォーマットとしては、例えば、ＮＴＳＣ（National Television System Committee）方式や、ＰＡＬ（Phase Alternating Line）方式などがある。ＰＡＬは、1962年に西ドイツで提案されたカラーテレビジョン放送の標準であり、走査線が６２５本（５０フィールド）、フレームレートは、２５フレーム／秒、画面比（アスペクト比）３：４で、主にフランスを除く西ヨーロッパ各国で採用されている。ＮＴＳＣは、1953年に標準化されたカラーテレビジョン信号方式であり、走査線が５２５本（６０フィールド）、フレームレートは、２９．９７フレーム／秒、画面比（アスペクト比）３：４で、主にアメリカと日本で採用されている。
【０００４】
従来のデジタルカメラでは、装置内の処理の全体が、ビデオ出力のフォーマットに合わせて、ＰＡＬやＮＴＳＣのフレームレートにあわせた基準クロックで動作していたため、液晶ファインダにもＰＡＬやＮＴＳＣの映像が表示されていた。
【０００５】
図１は、従来のデジタルカメラ１の構成を示すブロック図である。なお、図中、実線は画像信号の授受を示すものであり、点線は制御信号の授受を示すものであり、一点破線は符号信号の授受を示すものであり、二点破線は同期信号の授受を示すものである。
【０００６】
ＣＣＤ（Charge Coupled Device：電化結合素子）カメラ部１１で撮像された画像信号は、Ａ／Ｄ変換部１２でデジタル信号に変換されて、信号処理部１３に入力される。信号処理部１３は、入力された信号に対して、例えば、ガンマ処理や、RGB信号をY／Cb／Cr信号に変換する処理などを行い、処理後の画像データを、メモリコントローラ１４に供給する。
【０００７】
メモリコントローラ１４は、ＣＰＵ（Central Processing Unit）１５の制御に従って、入力された画像データを、バス１６を介して、メモリ１９に書き込んで記録させたり、メモリ１９に書き込まれている画像データを、バス１６を介して、画像圧縮処理部１７や解像度変換処理部１８に供給して処理させ、再びメモリ１９に記録させる。また、メモリコントローラ１４は、メモリ１９に記録されている信号処理部１３において処理された状態の画像データ、あるいは、必要に応じて画像圧縮処理部１７、もしくは解像度変換処理部１８によって処理された画像データを、バス１６を介して、表示信号処理部２０に供給したり、バス１６を介して読み込み、ドライブ２３に出力する。
【０００８】
ＣＰＵ１５は、デジタルカメラ１の動作を制御するものであり、後述する同期信号生成部３１から、基準となるタイミング信号の入力を受け、信号処理部１３、メモリコントローラ１４、および、表示信号処理部２０の動作を制御するための制御信号を生成して出力する。
【０００９】
画像圧縮処理部１７は、供給された画像データを、例えば、JPEGなどの所定の圧縮符号化方法で圧縮符号化（ソフトウェアコーディング）する。解像度変換処理部１８は、供給されたデータに対して、水平、もしくは垂直の画像解像度変換処理を行う。
【００１０】
表示信号処理部２０は、バス１６を介して、メモリ１９に記録された画像データの入力を受け、内部に有する同期信号生成部３１が生成する基準信号に基づいて、 表示部２１に出力して表示するのに適した信号、もしくは、ビデオ出力インターフェース２２を介して外部の機器に出力するのに適した信号に変換する処理を実行する。同期信号生成部３１が生成する基準信号は、ＣＣＤカメラ部１１、信号処理部１３、およびＣＰＵ１５に供給される。
【００１１】
表示部２１は、例えば、液晶パネルなどより構成され、表示信号処理部２０から供給された所定の表示フォーマット（例えば、ＰＡＬやＮＴＳＣ）の画像データを表示する。ビデオ出力インターフェース２２は、所定のインターフェース形式で、外部の機器と接続され、表示信号処理部２０から供給された所定のビデオ出力フォーマット（例えば、ＰＡＬやＮＴＳＣ）の画像データを外部の機器に出力する。なお、ビデオ出力インターフェース２２と外部の機器は、有線で接続されていても、無線で接続されていても良い。
【００１２】
また、メモリコントローラ１４には、必要に応じて、ドライブ２３が接続され、磁気ディスク４１、光ディスク４２、光磁気ディスク４３、あるいは、半導体メモリ４４などが装着され、例えば、メモリコントローラ１４の処理により、画像圧縮処理部１７において圧縮処理された画像が供給され、これらの記録媒体に記録される。
【００１３】
撮影時において、ＣＣＤカメラ部１１から入力された信号は、Ａ／Ｄ変換部１２でデジタル信号に変換されて、信号処理部１３に入力される。信号処理部１３は、入力された信号に対して、例えば、ガンマ処理や、RGB信号をY／Cb／Cr信号に変換する処理などを行い、処理後の画像データを、メモリコントローラ１４に供給する。画像のサイズ変換がある場合、画像データは、メモリコントローラ１４の処理により、バス１６を介して、解像度変換処理部１８に供給されて、水平、垂直の画像変換が行われ、変換されたデータが、メモリコントローラ１４の処理により、バス１６を介して、メモリ１９に記録される。
【００１４】
画像データが、ドライブ２３に装着されている記録媒体などに記録される場合、画像データは、メモリコントローラ１４の処理により、バス１６を介して、画像圧縮処理部１７に供給され、例えば、JPEGなどの所定の圧縮符号化方式によって圧縮される。圧縮された画像データは、再び、メモリコントローラ１４の処理により、ドライブ２３に出力されて、磁気ディスク４１、光ディスク４２、光磁気ディスク４３、あるいは、半導体メモリ４４などの記録媒体に記録される。
【００１５】
特に、動画像の撮影時には、ＣＣＤカメラ部１１で撮像され、Ａ／Ｄ変換部１２および信号処理部１３で所定の処理を施された画像信号は、メモリコントローラ１４の処理により、メモリ１９にフレーム毎に記録される。メモリコントローラ１４は、ＣＰＵ１５の制御を受け、画像圧縮処理部１７に、メモリ１９に記録された画像信号を供給する。画像圧縮処理部１７は、動画のフレームレートの仕様（例えば、１５フレーム／秒や、１６．６フレーム／秒）に従って、供給された画像信号に対して画像圧縮を施す。すなわち、画像圧縮処理部１７は、フレームレートの仕様が１５フレーム／秒の場合には、供給された画像信号を６６．６msec毎の画像に圧縮し、フレームレートの仕様が１６．６フレーム／秒の場合には、供給された画像信号を６０msecおきの画像に圧縮する。圧縮処理後の画像データは、メモリコントローラ１４の処理により、メモリ１９、もしくは、ドライブ２３に装着された記録媒体に書き込まれる。
【００１６】
以上説明した処理のタイミングの基準になっているのは、表示信号処理部２０内の同期信号生成部３１が発生している垂直同期信号ＶＤであり、この信号が、ＣＰＵ１５や信号処理部１３に入力されて、必要な信号の処理やＣＰＵ１５の処理の基準となっている。
【００１７】
従来においては、この基準のタイミング（垂直同期信号VD）は、ビデオ出力インターフェースから出力されるビデオ信号のフォーマット（例えば、ＮＴＳＣやＰＡＬなど）のフレームレートを基準として発生されていた。
【発明の開示】
【発明が解決しようとする課題】
【００１８】
多くの場合、液晶ファインダに用いられている表示部２１の液晶パネルの走査線の数は、ＮＴＳＣに合わせて２４０本である。このような液晶パネルを用いてＰＡＬで動作するデジタルスチルカメラにおいては、液晶パネルに画像を表示する場合に、走査線の間引きを行っていた。
【００１９】
ＮＴＳＣに合わせた走査線を有する液晶パネルにＰＡＬの画像を表示させる場合、走査線の間引きを行うために、画像が劣化してしまう。また、このような場合、表示内容にOSD（On Screen Display）による文字情報が含まれているとき、走査線の間引きによって文字が欠けてしまうという問題が生じる。
【００２０】
近年、撮像素子であるＣＣＤの性能向上にともなって、動画の表示におけるフレームレートの向上や、画質の向上が求められている。上述したように、従来のデジタルカメラ１において、処理の基準になっているのは、ビデオ出力のフォーマットに合わせて発生される垂直同期信号ＶＤである。従って、ＣＣＤカメラ部１１、信号処理部１３、およびＣＰＵ１５は、ビデオ出力のフォーマットに合わせて、ＰＡＬ方式やＮＴＳＣ方式を基準としたタイミングで動作している。
【００２１】
しかしながら、処理の基準がＮＴＳＣやＰＡＬである場合、商品の形態として、２つのフォーマットができてしまうのは好ましくなく、動画を撮影する際にフレームレートが異なる画像データを処理する必要が生じてしまうことは避けたい。そのため、従来のデジタルカメラにおいては、より低いフレームレートであるＰＡＬの場合の２５フレーム／秒のフレームレートにあわせて画像処理を行うように設定してしまうことになり、ＮＴＳＣ動作でも２５フレーム／秒のフレームレートで処理してしまう。すなわち、高フレームレートを実現することができなくなる。
【００２２】
また、画像圧縮処理部１７の処理により、動画の圧縮ファイルをソフトウェアで作成する場合、ＮＴＳＣ方式に合わせた２９．９７Ｈｚの周波数は、画像と音声の同期を取りにくい周波数であった。このため、画像圧縮処理部１７において、実際にソフトウェアでエンコードを行うにあたっては、ＮＴＳＣ方式によらないフレームレート（例えば、１５フレーム／秒、１６．６フレーム／秒、あるいは、３０フレーム／秒）などが選択されていた。
【００２３】
しかしながら、画像圧縮処理部１７において、ソフトウェアの処理によってエンコードを行う場合、動きベクトルなどを用いた高圧縮を行うことができないため、ビットレートを大きく下げることができず、高画質を得ることもできない。また、ソフトウェアの処理によってエンコードを行う場合、撮影モードと再生モードとで、基準となるタイミングが同一でなくてはならない。
【００２４】
それに対して、動画像を高画質で撮像して記録するためには、専用のコーディックIC（Integrated Circuit）を用いてエンコードを行うようにすると好適である。近年では、動画像を高画質で撮像して記録するために適した専用のコーディックＩＣが数多く開発され、商品化されている。
【００２５】
しかしながら、既に商品化されているコーディックＩＣは、従来のビデオ出力に合わせて、ＰＡＬ方式やＮＴＳＣ方式で動作するように設定されている。また、コーディックＩＣを用いることは、コストアップになるため、ソフトウェアでフレームレートの高いエンコードを行う方式と、専用のコーディックＩＣで高画質のエンコードを行う方式との双方が可能なシステムが求められている。双方のエンコード方式が可能なシステムであれば、コストと品質の要求に基づいて、コーディックＩＣを利用しない構成、および、コーディックＩＣを利用する構成のビデオカメラのいずれにおいても対応することが可能な、すなわち、コーディックＩＣを接続可能なビデオカメラを構成することができる。
【００２６】
本発明はこのような状況に鑑みてなされたものであり、高フレームレートのソフトウェアでの動画エンコード、および、外部コーディックＩＣによる高画質動画エンコードの双方を可能とし、再生処理の基準のタイミングを、ビデオ出力される動画像のフォーマットによらず一定のタイミングで行い、かつ、表示される画質の劣化をなくすことができるようにするものである。
【課題を解決するための手段】
【００２７】
本発明の一側面の撮像装置は、被写体像を撮像する撮像手段と、前記撮像手段により撮像されて得られた画像データから第１のフレームレートを有する画像データを生成する生成手段と、前記生成手段により生成された前記第１のフレームレートを有する画像データを、前記第１のフレームレートよりも低い第２のフレームレートを有する第１のビデオフォーマット、または、前記第１のフレームレートよりも低い第３のフレームレートを有する第２のビデオフォーマットに対応する画像データに変換するとともに、前記第２のビデオフォーマットに対応する画像データを、前記第１のフレームレートを有する画像データに変換する変換手段と、前記変換手段により変換された前記第１のビデオフォーマットに対応する画像データを出力する第１の出力手段と、前記変換手段により変換された前記第２のビデオフォーマットに対応する画像データを、前記第２のビデオフォーマットに対応する画像データを圧縮伸張する圧縮伸張部に出力する第２の出力手段と、前記圧縮伸張部により伸張された前記第２のビデオフォーマットに対応する画像データの取得、前記変換手段による前記第２のビデオフォーマットに対応する画像データの前記第１のフレームレートを有する画像データへの変換、および、変換後の前記第１のフレームレートを有する画像データの前記第１のビデオフォーマットに対応する画像データへの変換、並びに、変換後の前記第１のビデオフォーマットに対応する画像データの前記第１の出力手段による出力を制御する制御手段とを備える。
【００２８】
本発明の一側面の撮像方法は、被写体像を撮像する撮像装置の撮像方法であって、被写体像を撮像し、撮像されて得られた画像データから第１のフレームレートを有する画像データを生成し、前記第１のフレームレートを有する画像データを、前記第１のフレームレートよりも低い第２のフレームレートを有する第１のビデオフォーマット、または、前記第１のフレームレートよりも低い第３のフレームレートを有する第２のビデオフォーマットに対応する画像データに変換するとともに、前記第２のビデオフォーマットに対応する画像データを、前記第１のフレームレートを有する画像データに変換し、変換された前記第１のビデオフォーマットに対応する画像データを出力し、変換された前記第２のビデオフォーマットに対応する画像データを、前記第２のビデオフォーマットに対応する画像データを圧縮伸張する圧縮伸張部に出力し、前記圧縮伸張部により伸張された前記第２のビデオフォーマットに対応する画像データを取得し、取得された前記第２のビデオフォーマットに対応する画像データを前記第１のフレームレートを有する画像データへ変換し、変換後の前記第１のフレームレートを有する画像データを前記第１のビデオフォーマットに対応する画像データへ変換し、変換後の前記第１のビデオフォーマットに対応する画像データを出力する処理を制御するステップを含む。
【００２９】
本発明の一側面においては、被写体像が撮像され、撮像されて得られた画像データから第１のフレームレートを有する画像データが生成され、前記第１のフレームレートを有する画像データが、前記第１のフレームレートよりも低い第２のフレームレートを有する第１のビデオフォーマット、または、前記第１のフレームレートよりも低い第３のフレームレートを有する第２のビデオフォーマットに対応する画像データに変換され、前記第２のビデオフォーマットに対応する画像データが、前記第２のビデオフォーマットに対応する画像データを圧縮伸張する圧縮伸張部に出力され、前記圧縮伸張部により伸張された前記第２のビデオフォーマットに対応する画像データが取得され、取得された前記第２のビデオフォーマットに対応する画像データが前記第１のフレームレートを有する画像データへ変換され、変換後の前記第１のフレームレートを有する画像データが前記第１のビデオフォーマットに対応する画像データへ変換されて、変換後の前記第１のビデオフォーマットに対応する画像データが出力される。
【発明の効果】
【００３０】
本発明によれば、取得された画像データを所定のフレームレートで出力することができる。
また、本発明によれば、取得された画像データを出力に関わらないフレームレートで処理した後、出力に適したフレームレートに変換して出力することができるので、高フレームレートのソフトウェアでの動画エンコード、および、外部コーディックＩＣによる高画質動画エンコードの双方を行うことができる。
更に、本発明によれば、画像処理の基準のタイミングを、ビデオ出力される動画像のフォーマットによらず一定のタイミングで行うことができ、更に、表示される画質の劣化をなくすことができる。
【発明を実施するための最良の形態】
【００３１】
以下、図を参照して、本発明の実施の形態について説明する。
【００３２】
図２は、本発明を適用した、デジタルカメラ５１の構成を示すブロック図である。
【００３３】
なお、従来の場合と対応する部分には同一の符号を付してあり、その説明は適宜省略する。
【００３４】
すなわち、図２のデジタルカメラ５１は、メモリコントローラ１４に代わって、メモリコントローラ６１が備えられ、ＣＰＵ１５に代わって、ＣＰＵ６２が備えられ、同期信号生成部３１を有する表示信号処理部２０に変わって、同期信号生成部７１を有する表示信号処理部６３が備えられ、新たに、コーディックＩＣインターフェース６４が備えられている以外は、図１のデジタルカメラ１と基本的に同様の構成を有するものである。
【００３５】
また、図２においても、図１における場合と同様に、図中、実線は画像信号の授受を示すものであり、点線は制御信号の授受を示すものであり、一点破線は符号信号の授受を示すものであり、二点破線は同期信号の授受を示すものである。
【００３６】
同期信号生成部７１は、ＣＣＤカメラ部１１、信号処理部１３、およびＣＰＵ６２に供給する第１の基準信号である垂直同期信号ＶＤ１以外に、ＣＰＵ６２およびコーディックＩＣインターフェース６４に供給する第２の基準信号である垂直同期信号ＶＤ２および水平同期信号ＨＤ１を発生する。
【００３７】
第１の基準信号である垂直同期信号ＶＤ１は、従来における基準信号である垂直同期信号ＶＤに対応するものであるが、従来における場合と異なり、出力のビデオ信号のＮＴＳＣ、もしくはＰＡＬを基準とした周波数が発生されるのではなく、例えば、６０Ｈｚや１２０Ｈｚなどの所定の周波数が発生される。そして、第２の基準信号である垂直同期信号ＶＤ２および水平同期信号ＨＤ１は、ＣＰＵ６２、および、コーディックＩＣインターフェース６４に供給され、例えば、ＰＡＬやＮＴＳＣなどの画像フォーマットを基準とした周波数が発生される。以下、垂直同期信号ＶＤ１は、フィールド周波数６０Ｈｚ（フレーム周波数３０Ｈｚ）であるものとして説明する。
【００３８】
メモリコントローラ６１は、ＣＰＵ６２の制御に従って、入力された画像データを、バス１６を介して、メモリ１９に書き込んで記録させたり、必要に応じて、メモリ１９に記録されている画像データを、バス１６を介して、画像圧縮処理部１７や解像度変換処理部１８に供給する。また、メモリコントローラ６１は、ＣＰＵ６２の制御に従って、メモリ１９に記録されている画像データ（必要に応じて、画像圧縮処理部１７、あるいは、解像度変換処理部１８で処理されている画像データ）を、バス１６を介して表示信号処理部６３に供給したり、バス１６を介して読み出し、ドライブ２３に出力する。これらの処理において、メモリコントローラ６１は、ＣＰＵ６２から供給されたアドレス設定信号に基づいて、メモリ１９の所定のアドレスに画像データを記録させたり、メモリ１９の所定のアドレスから画像データを読み込む。
【００３９】
また、メモリコントローラ６１は、コーディックＩＣインターフェース６４および表示信号処理部６３を介して入力された、コーディックＩＣにより処理された画像データを、ドライブ２３に出力して、装着されている記録媒体に記録させる。
【００４０】
ＣＰＵ６２は、デジタルカメラ５１の動作を制御するものであり、同期信号生成部７１から、基準となるタイミング信号（第１の基準信号である垂直同期信号ＶＤ１、並びに、第２の基準信号である垂直同期信号ＶＤ２および水平同期信号ＨＤ１）の入力を受け、信号処理部１３、メモリコントローラ６１、および、表示信号処理部６３の動作を制御するための制御信号を生成して出力したり、メモリ１９のアドレス設定信号を生成し、メモリコントローラ６１に出力する。
【００４１】
表示信号処理部６３は、メモリコントローラ１４の処理により、メモリ１９に記録された画像データの入力を受け、内部に有する同期信号生成部７１が生成する基準信号に基づいて、表示部２１に出力して表示するのに適した信号、ビデオ出力インターフェース２２を介して外部の機器に出力するのに適した信号、もしくは、コーディックＩＣインターフェース６４を介して、デジタルカメラ５１の外部に接続されているコーディックＩＣに出力するのに適した信号に変換する処理を実行する。また、表示信号処理部６３は、コーディックＩＣインターフェース６４を介して、コーディックＩＣにより処理された画像データの入力を受け、メモリコントローラ６１の制御により、メモリ１９に出力する。
【００４２】
同期信号生成部７１が生成する基準信号は、第１の基準信号である垂直同期信号ＶＤ１と、第２の基準信号である垂直同期信号ＶＤ２および水平同期信号ＨＤ１との２系列である。上述したように、ＣＣＤカメラ部１１、信号処理部１３、およびＣＰＵ６２には、第１の基準信号である垂直同期信号ＶＤ１が供給され、ＣＰＵ６２およびコーディックＩＣインターフェース６４には、第２の基準信号である垂直同期信号ＶＤ２および水平同期信号ＨＤ１が供給される。
【００４３】
コーディックＩＣインターフェース６４は、デジタルカメラ５１の外部に接続される図示しないコーディックＩＣとのインターフェースであり、表示信号処理部６３から供給された画像データをコーディックＩＣに出力するとともに、コーディックＩＣから、処理された画像データの入力を受け、表示信号処理部６３に供給する。
【００４４】
また、ドライブ２３に装着されている磁気ディスク４１、光ディスク４２、光磁気ディスク４３、あるいは、半導体メモリ４４などには、メモリコントローラ６１の処理により、必要な処理が施された画像信号が記録される。更に、ドライブ２３に装着されている磁気ディスク４１、光ディスク４２、光磁気ディスク４３、あるいは、半導体メモリ４４など記録されていたプログラムは、必要に応じて、ＣＰＵ６２により読み込まれて実行されたり、メモリコントローラ６１の処理によりメモリ１９に記録されて、ＣＰＵ６２により読み込まれて実行される。
【００４５】
このようなデジタルカメラ５１において、フレームレートを向上するには、デジタルビデオカメラ５１内の画像処理を、ビデオ出力のＰＡＬやＮＴＳＣに関わらず、一定の周期で行い、表示部２１における表示画像のフォーマットと、コーディックＩＣが対応する画像のフォーマットを同一のものとし、ビデオ出力のみをＰＡＬ、もしくはＮＴＳＣで、任意に行えるようにすればよい。デジタルビデオカメラ５１内の画像処理を、ビデオ出力のＰＡＬやＮＴＳＣに関わらず、一定の周期で行うようにすれば、例えば、ＣＣＤなどの素子の性能が向上することにより、出力される画像データのフレームレートにかかわらず、画像処理のフレームレートを更に高くすることが可能となる。すなわち、ソフトウェアコーディングなどの処理を、更に高フレームレートで行うようにすることができる。
【００４６】
この場合、表示信号処理部６３は、表示部２１を構成する液晶パネルに合致した走査線数の画像信号を出力することができるので、例えば、画像劣化やＯＳＤの文字抜けなどの問題を解決することができる。更に、デジタルカメラ５１は、このような構成をとることにより、ビデオ出力のフォーマットによらず高画質の動画の記録／再生が可能となる。そして、コーディックＩＣインターフェース６４に接続されているコーディックＩＣが対応している画像フォーマットが、ＮＴＳＣ方式であるか、ＰＡＬ方式であるかにかかわらず、ビデオ出力インターフェース２２に接続される機器によって、ビデオ出力のフレームレートを、ＮＴＳＣ方式およびＰＡＬ方式のうちのいずれでも任意に選択することが可能となる。
【００４７】
次に、デジタルビデオカメラ５１の動作について説明する。
【００４８】
撮影時において、ＣＣＤカメラ部１１および信号処理部１３は、同期信号生成部７１により発生された第１の基準信号である垂直同期信号ＶＤ１の入力を受け、フィールド周波数６０Hzを最小単位とするタイミングで動作を行う。
【００４９】
ＣＣＤカメラ部１１で撮像された画像信号は、Ａ／Ｄ変換部１２でデジタル信号に変換されて、信号処理部１３に入力される。信号処理部１３は、入力された信号に対して、例えば、ガンマ処理や、RGB信号をY／Cb／Cr信号に変換する処理などを行い、処理後の画像データを、メモリコントローラ６１に供給する。
【００５０】
メモリコントローラ６１は、ＣＰＵ６２の制御に従って、入力された画像データを、バス１６を介して、メモリ１９に書き込んで記録させる。また、メモリコントローラ６１は、メモリ１９に記録されている画像データを、必要に応じて、バス１６を介して、画像圧縮処理部１７や解像度変換処理部１８に供給して処理させ、再びメモリ１９に記録させる。そして、メモリコントローラ６１は、ＣＰＵ６２の制御に従って、メモリ１９に記録されている画像データを、バス１６を介して、表示信号処理部６３に供給する。
【００５１】
ここで、メモリコントローラ６１に供給され、メモリ１９に記録されたり、画像圧縮処理部１７や解像度変換処理部１８において処理される画像データは、第１の基準信号である垂直同期信号ＶＤ１を基準とした、３０Ｈｚのフレームレートを有する画像データである。
【００５２】
表示信号処理部６３は、入力された画像データを表示させる場合、表示部２１を構成する液晶パネルに合致した走査線数の画像信号を表示部２１に出力する。すなわち、表示信号処理部６３は、入力された３０Ｈｚのフレームレートを有する画像データを、表示される画像データのフォーマットに変換して出力する。
【００５３】
また、表示信号処理部６３は、入力された画像データをビデオ出力インターフェース２２から出力させる場合、入力された３０Ｈｚのフレームレートを有する画像データを、ビデオ出力インターフェース２２に接続されている機器が処理可能な画像フォーマットに合致したフレームレートに変換して、ビデオ出力インターフェース２２から外部に出力する。
【００５４】
そして、表示信号処理部６３は、入力された画像データを、コーディックＩＣインターフェース６４から、図示しないコーディックＩＣに出力する場合、入力された３０Ｈｚのフレームレートを有する画像データを、コーディックＩＣが処理可能な画像フォーマットのフレームレートに変換して、コーディックＩＣインターフェース６４に出力する。
【００５５】
また、コーディックＩＣの処理による再生処理において、表示信号処理部６３は、コーディックＩＣインターフェース６４から、コーディックＩＣが処理可能な画像フォーマットの再生画像データの入力を受け、バス１６を介して、メモリ１９に出力する。そして、表示信号処理部６３は、メモリコントローラ６１によるアドレス制御に従って、メモリ１９に記録させた再生画像信号を読み出し、同一の画像フォーマットで画像を表示するようになされている表示部２２に出力したり、ビデオ出力インターフェース２２に接続されている機器が処理可能な画像フォーマットに合致したフレームレートに変換して、ビデオ出力インターフェース２２から外部に出力する。
【００５６】
図３および図４を用いて、画像記録時におけるフレームレートの変換処理について説明する。
【００５７】
図３に示されるように、信号処理部１３において信号処理が行われて生成された、フレーム周波数３０Ｈｚである３０Ｈｚフレーム８１と、ＮＴＳＣによる２９．９７Ｈｚフレーム８２とのフレームレートは、1001：1000の比例関係がある。従って、表示信号処理部６３は、メモリコントローラ６１から供給された３０Ｈｚフレーム８１の画像の1001枚に１枚を間引きすることにより、フレーム周波数３０Ｈｚである３０Ｈｚフレーム８１をＮＴＳＣのフレームレートを有する２９．９７Ｈｚフレーム８２に変換する処理を実行する。
【００５８】
例えば、表示部２１の表示フォーマット、および、コーディックＩＣが処理することができる画像データのフォーマットがＮＴＳＣ方式である場合、表示信号処理部６３において、入力された３０Ｈｚフレーム８１が、ＮＴＳＣ方式の２９．９７Ｈｚフレーム８２へ変換された後、コーディックＩＣインターフェース６４に出力されたり、表示部２１に出力されて表示される。この場合、図３に示されるように、３０Ｈｚフレーム８１の1001フレーム目と、ＮＴＳＣによる２９．９７Ｈｚフレーム８２の1000フレーム目とは、同一の時間であるため、３０Ｈｚフレーム８１の1000フレーム目は、ＮＴＳＣへの変換時に間引かれて表示されない。
【００５９】
そして、同様に、図４に示されるように、フレーム周波数３０Ｈｚである３０Ｈｚフレーム８１に対して、ＰＡＬは２５Ｈｚであるので、表示信号処理部６３は、メモリコントローラ６１により供給された３０Ｈｚフレーム８１の画像の６枚に１枚を間引くことにより、ＰＡＬのフレームレートを有する２５Ｈｚフレーム９１に変換することができる。
【００６０】
例えば、表示部２１の表示フォーマット、および、コーディックＩＣが処理することができる画像データのフォーマットがＰＡＬ方式である場合、表示信号処理部６３において、入力された３０Ｈｚフレーム８１が、ＰＡＬ方式の２５Ｈｚフレーム９１へ変換された後、コーディックＩＣインターフェース６４に出力されたり、表示部２１に出力されて表示される。この場合、図４に示されるように、３０Ｈｚフレーム８１の６フレーム目と、ＰＡＬによる２５Ｈｚフレーム９１の５フレーム目とは、同一の時間であるため、３０Ｈｚフレーム８１の５フレーム目は、ＰＡＬへの変換時に間引かれて表示されない。
【００６１】
このような変換処理において、間引きによる画像の追越しが発生しないようにするためには、表示信号処理部６３に、フレーム画像を一時記憶する領域を、少なくとも３フレーム分（図３および図４に示されるフレームＡ、フレームＢ、およびフレームＣの分）備えるようにすればよい。
【００６２】
また、記録された画像データがビデオ出力インターフェース２２からビデオ出力される場合においても、図３および図４を用いて説明した処理と同様の処理により、入力された３０Ｈｚフレーム８１を、ＮＴＳＣ方式の２９．９７Ｈｚフレーム８２、もしくは、ＰＡＬ方式の２５Ｈｚフレーム９１へ変換に変換することができるので、表示信号処理部６３は、入力された３０Ｈｚフレーム８１を、ビデオ出力インターフェース２２に接続されている機器が処理可能な画像フォーマットに合致したフレームレートに変換して、ビデオ出力インターフェース２２から外部に出力することができる。
【００６３】
このような変換を行うことにより、ビデオ出力とコーディックＩＣの処理フォーマットが異なる場合においても、それぞれ適したフレームレートの信号を供給し、かつ、表示に利用される液晶パネルなどの走査線数に適したフレームレートで表示処理を行うようにすることができる。
【００６４】
次に、コーディックＩＣの再生時の変換処理について説明する。図５では、コーディックＩＣの再生モードがＮＴＳＣで、ビデオ出力がＮＴＳＣとＰＡＬのそれぞれの場合におけるフレームレートの変換について図示されている。この場合のデジタルカメラ５１の動作について説明する。
【００６５】
ＣＰＵ６２は、第１の基準信号である垂直同期信号ＶＤ１に基づいて、すなわち、３０Hz周期で、コーディックＩＣからの入力画像を、メモリ１９のどの面に張るかを示すアドレスの設定を、フレームＡ，フレームＢ，フレームＣ，フレームＤ，フレームＥの順に行わせるように、メモリコントローラ６１を制御する。そして、その設定されたアドレスは、表示信号処理部６３の処理により、ＮＴＳＣのタイミングでラッチされて、実際のアドレスが確定される。すなわち、３０Ｈｚ周期で設定されているアドレスに対して、1001回に１回、反映されないアドレスが発生するので、その面がスキップされて、次の面に画像が書き込まれる。
【００６６】
図５に示されるように、ＣＰＵ６２は、ＣＰＵ設定フレーム１０１の1000フレーム目に、Ｃ面を設定するが、実際の書き込み面１０２においては、Ｃ面はスキップされて、Ｂ面の次にはＤ面に画像が書き込まれる。この際の書き込み面１０２を、実際のビデオ出力のフレームレートでラッチしなおすことにより、ビデオ出力ＮＴＳＣ表示面１０３、あるいは、ビデオ出力ＰＡＬ表示面１０４に示されるように、ビデオ出力される面（フレーム）が決定される。
【００６７】
なお、ビデオ出力インターフェース２２からのビデオ出力がＰＡＬ方式である場合、コーディックＩＣの再生モードがＮＴＳＣ（フレームレートは２９．９７Hz）であるから、出力される画像データのフレームレートは、図３を用いて説明した場合と逆の方法、すなわち、間引かれていた１００１フレーム中の１フレームを加えることにより、一旦３０Hzに変換された後、図４を用いて説明したように、６フレーム中の１フレームが間引かれて、ＰＡＬのフレームレートの２５Hzに変換される。
【００６８】
コーディックＩＣの再生モードも、ビデオ出力インターフェース２２からのビデオ出力もＮＴＳＣである場合、追越しを発生しないためには、表示信号処理部６３に、この処理のために画像を一時記憶する領域を４フレーム分備えるようにすればよい。これに対して、コーディックＩＣの再生モードがＮＴＳＣ方式であり、ビデオ出力インターフェース２２からのビデオ出力がＰＡＬ方式である場合、追越しを発生しないためには、表示信号処理部６３に、この処理のために画像を一時記憶する領域を５フレーム分備えなければならない。従って、ビデオ出力インターフェース２２からのビデオ出力を、ＮＴＳＣとＰＡＬとの両方に対応させたい場合は、表示信号処理部６３に、画像を一時記憶する領域を５フレーム分備えなければならない。
【００６９】
間引き処理を実行するためのアドレス設定を行う回路構成例を図６に示す。図６のアドレス設定回路１１１は、イネーブルつきのＤフリップフロップであるフリップフロップ１２１−１乃至１２１−６、並びに、セレクタ１２１−１および１２１−２で構成され、特に、撮影時およびコーディックＩＣ再生時の双方に対応するために、VIDEO AD信号を発生させる回路に、コーディックＩＣ側のアドレスとのセレクタである、セレクタ１２２−１が備えられていることを特徴としている。図６においては、フリップフロップ１２１−１乃至１２１−６、並びに、セレクタ１２１−１および１２１−２のクロック入力端子の図示を省略している。
【００７０】
図７に、フリップフロップ１２１−１乃至１２１−６の真理値表を示す。フリップフロップ１２１−１乃至１２１−６は、クロックエッジ（例えば、入力クロックの立ち上がりのタイミング）において、入力されたデータを出力するイネーブルつきのＤフリップフロップである。
【００７１】
図８に、セレクタ１２１−１および１２１−２の真理値表を示す。セレクタ１２１−１および１２１−２は、Ｓ端子（セレクタ入力端子）入力がＬ（すなわち０）である場合には、０入力端子に入力された論理を出力し、Ｓ端子入力がＨ（すなわち１）である場合には、１入力端子に入力された論理を出力するものである。
【００７２】
図６に戻り、アドレス設定回路１１１の動作について説明する。撮影時において、ＣＰＵ６２は、VIDEO ADとコーディックＩＣ ADとしてＡ、Ｂ、Ｃのメモリアドレスを３０Ｈｚ周期で設定する。撮影時のモードと各コントロール信号を図９に示す。ＥＮ１には、３０Hzに１回のＥＮ（イネーブル）信号が入力される。ＥＮ２にはビデオ出力がＮＴＳＣなら２９．９７Hz周期の、ビデオ出力がＰＡＬなら２５Ｈｚ周期のＥＮ信号が入力される。そして、ＥＮ３には、コーディックＩＣの処理（コーディックモード）がＮＴＳＣであれば２９．９７Hz周期、ＰＡＬであれば２５Ｈｚ周期のＥＮ信号が入力される。
【００７３】
図６の回路において、フリップフロップ１２１−１には、VIDEO ADが入力され、ＥＮ信号として、ＥＮ１が与えられる。フリップフロップ１２１−１の出力は、Ｓ端子にCONT1が供給されるセレクタ１２１−１の０入力端子に供給される。ここで、撮影時においては、CONT1に０が入力される。従って、セレクタ１２１−１からの出力は、フリップフロップ１２１−１からの出力となるため、撮影時においては、CONT２の入力は関係しない。セレクタ１２１−１の出力は、フリップフロップ１２１−２に入力され、フリップフロップ１２１−２のＥＮ信号として、ＥＮ２が与えられる。そして、フリップフロップ１２１−２の出力が、メモリコントローラ１６がビデオ出力のアドレスを設定するためのVIDEO AD OUTとして出力される。
【００７４】
また、フリップフロップ１２１−３には、コーディックＩＣ ADが入力され、ＥＮ信号としてＥＮ１が与えられる。フリップフロップ１２１−３の出力は、ＥＮ信号としてＥＮ３が与えられているフリップフロップ１２１−４に入力される。そして、フリップフロップ１２１−４の出力が、コーディックＩＣのアドレスを設定するためのコーディックIC AD OUTとして出力される。
【００７５】
同様に、コーディックＩＣを用いた再生処理時において、ＣＰＵ６２は、コーディックＩＣ ADとして、Ａ，Ｂ，Ｃ，Ｄ，Ｅのアドレスを３０Ｈｚ周期で書き込む。コーディックＩＣを用いた再生処理時のモードと各コントロール信号を図１０に示す。ＥＮ１には３０Hzに１回のＥＮ信号、ＥＮ２にはビデオ出力がＮＴＳＣなら２９．９７Hz周期の、ビデオ出力がＰＡＬなら２５Ｈｚ周期のＥＮ信号が、ＥＮ３には、コーディックモードがＮＴＳＣであれば２９．９７Hz周期、ＰＡＬであれば２５Ｈｚ周期のＥＮ信号が入力される。
【００７６】
図６の回路において、フリップフロップ１２１−３には、コーディックＩＣ ADが入力され、ＥＮ信号としてＥＮ１が与えられる。フリップフロップ１２１−３の出力は、ＥＮ信号としてＥＮ３が与えられているフリップフロップ１２１−４に入力される。フリップフロップ１２１−４の出力は、コーディックＩＣのアドレスを設定するためのコーディックIC AD OUTとして出力され、Ｓ端子にCONT２が供給されるセレクタ１２１−１の０入力端子に供給され、かつ、ＥＮ信号としてＥＮ１が与えられているフリップフロップ１２１−５に入力される。そして、フリップフロップ１２１−５の出力は、ＥＮ信号としてＥＮ１が与えられているフリップフロップ１２１−６に入力される。
【００７７】
フリップフロップ１２１−６の出力は、Ｓ端子にCONT２が供給されるセレクタ１２１−１の１入力端子に供給される。ビデオ出力とコーディックＩＣのコーディックモードが異なる場合、CONT2には、１が入力されるので、セレクタ１２２−２の出力は、フリップフロップ１２１−６の出力となる。このセレクタ１２２−２の出力によって示されるアドレスは、コーディックＩＣから書き込みが終了した最新のアドレスを３０Ｈｚに乗り換えたものである。
【００７８】
セレクタ１２２−２の出力は、セレクタ１２２−１の１入力端子に入力されているが、コーディックＩＣを用いた再生処理時において、CONT1には１が入力されるので、セレクタ１２２−２の出力がセレクタ１２２−１から出力される。セレクタ１２１−１の出力は、フリップフロップ１２１−２に入力され、フリップフロップ１２１−２のＥＮ信号として、ＥＮ２が与えられる。そして、フリップフロップ１２１−２の出力が、メモリコントローラ６１がビデオ出力のアドレスを設定するためのVIDEO ADとして出力される。
【００７９】
一方、ビデオ出力とコーディックＩＣのコーディックモードが同一である場合、CONT2には、０が入力されるので、セレクタ１２２−２の出力は、フリップフロップ１２１−４の出力となり、セレクタ１２２−２の出力がセレクタ１２２−１から出力される。セレクタ１２１−１の出力は、フリップフロップ１２１−２に入力され、フリップフロップ１２１−２のＥＮ信号として、ＥＮ２が与えられる。そして、フリップフロップ１２１−２の出力が、メモリコントローラ６１がビデオ出力のアドレスを設定するためのVIDEO ADとして出力される。
【００８０】
以上説明したフレームレートの変換処理について、コーディックＩＣのコーディックモード、および表示部２１の表示フォーマットがＮＴＳＣである場合の、ビデオ出力別のフレームレートの変換について、図１１乃至図１４を用いて説明する。なお、図１１乃至図１４においては、メモリ１９、表示信号処理部６３、表示部２１、ビデオ出力インターフェース２２、およびコーディックＩＣインターフェース６４以外の図示は省略して説明する。
【００８１】
ビデオ出力がＮＴＳＣである場合の画像データの記録処理において、表示信号処理部６３は、図１１に示されるように、バス１６を介して、メモリ１９に記録されている、フレームレート３０Hzの画像データの供給を受けて、上述した変換方法により、フレームレートをＮＴＳＣの２９．９７Ｈzに変換して、表示部２１、ビデオ出力インターフェース２２、およびコーディックＩＣインターフェース６４に出力する。
【００８２】
ビデオ出力がＰＡＬである場合の画像データの記録処理において、表示信号処理部６３は、図１２に示されるように、バス１６を介して、メモリ１９に記録されている、フレームレート３０Hzの画像データの供給を受けて、上述した変換方法により、フレームレートをＮＴＳＣの２９．９７Ｈzに変換して、表示部２１、およびコーディックＩＣインターフェース６４に出力し、かつ、フレームレートをＰＡＬの２５Ｈzに変換して、ビデオ出力インターフェース２２に出力する。
【００８３】
ビデオ出力がＮＴＳＣである場合のコーディックＩＣを用いた再生処理において、表示信号処理部６３は、図１３に示されるように、コーディックＩＣインターフェース６４から、フレームレート２９．９７HzのＮＴＳＣ画像データの入力を受ける。ＮＴＳＣ画像データは、メモリコントローラ６１の処理により、バス１６を介して、メモリ１９に書き込まれる。そして、表示信号処理部６３は、メモリ１９に書き込まれた、フレームレート２９．９７HzのＮＴＳＣ画像データの供給を受け、表示部２１、および、ビデオ出力インターフェース２２に、変換せずに、そのまま出力する。
【００８４】
ビデオ出力がＰＡＬである場合のコーディックＩＣを用いた再生処理において、表示信号処理部６３は、図１４に示されるように、コーディックＩＣインターフェース６４から、フレームレート２９．９７HzのＮＴＳＣ画像データの入力を受ける。ＮＴＳＣ画像データは、メモリコントローラ６１の処理により、バス１６を介して、メモリ１９に書き込まれる。そして、表示信号処理部６３は、メモリ１９に書き込まれた、フレームレート２９．９７HzのＮＴＳＣ画像データの供給を受け、表示部２１には、変換せずにそのまま出力するとともに、フレームレート２９．９７HzのＮＴＳＣ画像データを、一旦、フレームレート３０Hzの画像データに変換した後に、フレームレートをＰＡＬの２５Ｈzに変換して、ビデオ出力インターフェース２２に出力する。
【００８５】
このように、撮影時および再生時において、出力フォーマットのフレームレートに関わらない所定のタイミング（例えば、６０Ｈｚ）などを基準として処理を行い、その画像データに対するＮＴＳＣやＰＡＬへのフレームレート変換を、出力のフォーマットに基づいて、任意に行えるようにしたので、ビデオ出力モードにかかわらず、フレームレートの高い動画像を撮影することができ、更に、コーディックＩＣを利用した記録再生が可能となる。
【００８６】
また、撮影時、再生時とも、画像データの撮像や、ソフトウェアコーディングなどの処理は、ビデオ出力モードによらず、例えば、３０Ｈzなどの所定のタイミング単位で動作に設計することが可能となるので、ソフトウェア設計が容易になり、コストを削減することができる。
【００８７】
更に、表示部２１に表示される画像の画質においても、例えば、コーディックＩＣの処理フォーマットがＮＴＳＣである場合、表示部２１を構成する液晶パネルなどの走査線の数も、ＮＴＳＣ対応のものとして、常に、ＮＴＳＣに変換した信号を表示すればよいため、ＯＳＤの欠け等の画質劣化がない画像を出力することができる。
【００８８】
上述した一連の処理は、ソフトウェアにより実行することもできる。そのソフトウェアは、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【００８９】
この記録媒体は、図１、および図２に示すように、コンピュータとは別に、ユーザにプログラムを提供するために配布される、プログラムが記録されている磁気ディスク４１（フレキシブルディスクを含む）、光ディスク４２（CD-ROM（Compact Disk-Read Only Memory），DVD（Digital Versatile Disk）を含む）、光磁気ディスク４３（ＭＤ（Mini-Disk)（商標）を含む）、もしくは半導体メモリ４４などよりなるパッケージメディアなどにより構成される。
【００９０】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【００９１】
【図１】従来のデジタルカメラの構成を示すブロック図である。
【図２】本発明を適用したデジタルカメラの構成を示すブロック図である。
【図３】３０Ｈｚフレームと、ＮＴＳＣの２９．９７Ｈｚフレームとの関係を示す図である。
【図４】３０Ｈｚフレームと、ＰＡＬの２５Ｈｚフレームとの関係を示す図である。
【図５】コーディックＩＣによる再生時のフレーム変換について説明する図である。
【図６】メモリのアドレス指定のための回路構成の例を示す図である。
【図７】Ｄフリップフロップの動作について説明するための図である。
【図８】セレクタの動作について説明するための図である。
【図９】撮影時のコントロール信号について説明するための図である。
【図１０】コーディックＩＣによる再生時のコントロール信号について説明するための図である。
【図１１】図２の表示信号処理部の動作について説明するための図である。
【図１２】図２の表示信号処理部の動作について説明するための図である。
【図１３】図２の表示信号処理部の動作について説明するための図である。
【図１４】図２の表示信号処理部の動作について説明するための図である。
【符号の説明】
【００９２】
１１  ＣＣＤカメラ部，  １２  Ａ／Ｄ変換部，  １３  信号処理部，  １７  画像圧縮処理部，  １８  解像度変換処理部，  １９  メモリ，  ２１  表示部，  ２２  ビデオ出力インターフェース，  ６１  メモリコントローラ，  ６２  ＣＰＵ，  ６３  表示信号処理部，  ６４  コーディックＩＣインターフェース，  ７１  同期信号生成部
【図１】
2008035552.tif 000003
【図２】
2008035552.tif 000004
【図３】
2008035552.tif 000005
【図４】
2008035552.tif 000006
【図５】
2008035552.tif 000007
【図６】
2008035552.tif 000008
【図７】
2008035552.tif 000009
【図８】
2008035552.tif 000010
【図９】
2008035552.tif 000011
【図１０】
2008035552.tif 000012
【図１１】
2008035552.tif 000013
【図１２】
2008035552.tif 000014
【図１３】
2008035552.tif 000015
【図１４】
2008035552.tif 000016